(57)【特許請求の範囲】
【請求項１】
側壁及びコンクリート底版からなり内部に貯蔵物が貯蔵されたコンクリート構造物において、前記コンクリート底版の下部に配設されたドレーン材と、該ドレーン材の下部に敷設された不織布と、前記ドレーン材に連通する揚水兼注入管とを備え、コンクリート底版の漏水個所に前記揚水兼注入管から補修材料を前記ドレーン材内部に注入、充填することを特徴とするコンクリート底版の漏水補修工法。
【請求項２】
上記コンクリート構造物内部を仕切壁により複数に区画し、各区画毎に上記揚水兼注入管を設けたことを特徴とする請求項１記載のコンクリート底版の漏水補修工法。
【請求項３】
側壁及びコンクリート底版からなり内部に貯蔵物が貯蔵されたコンクリート構造物において、前記コンクリート底版の下部に不織布を挟んで積層された上部ドレーン材および下部ドレーン材と、前記上部ドレーン材に連通するように設けられた揚水兼注入管と、前記下部ドレーン材に連通するように設けられた揚水管とを備え、コンクリート底版の漏水個所に前記揚水兼注入管から補修材料を前記上部ドレーン材内部に注入、充填し、前記下部ドレーン材の水を揚水管により揚水することにより遮水効果を確認することを特徴とするコンクリート底版の漏水補修工法。
【請求項４】
上記コンクリート構造物内部を仕切壁により複数に区画し、各区画毎に上記揚水兼注入管および揚水管を設けたことを特徴とする請求項３記載の遮水シートのコンクリート底版の漏水補修工法。
以上
【発明の詳細な説明】
【０００１】
【発明の属する技術の分野】
本発明は、廃棄物処分場、汚染土壌処分場或は各種液体の地下貯蔵タンク等のコンクリート構造物において、そのコンクリート底版の漏水箇所を補修するための漏水補修工法に関する。
【０００２】
【従来の技術】
近年、廃棄物や汚染土壌等を封じ込める最終処分場からの漏水に有害物質が含まれ、これによる地下水や河川水の汚染が社会的問題となっている。この原因は、最終処分場のコンクリート底版が何らかの原因で亀裂が生じ、そこからの漏水と考えられる。図３は、従来のコンクリート底版の漏水補修工法を示す断面図である。コンクリート底版１の漏水個所３に埋立ゴミ２の上部から注入管４を貫通させ、この注入管４から補修材料５を注入し、コンクリート底版１の漏水個所３の周辺を補修するようにしている。
【０００３】
【発明が解決しようとする課題】
しかしながら、上記従来の補修工法においては、埋立ゴミ２は、種々の形状、寸法を有しており、補修材料５が埋立ゴミ２に遮られて補修箇所３周辺に確実に注入することができないという問題を有している。
【０００４】
また、各種液体の地下貯蔵タンク等のコンクリート構造物において、コンクリート底版から貯蔵液が漏れた場合には、貯蔵液を抜いて補修するため、貯蔵液の仮貯蔵場所が必要であった。この問題は埋立ゴミの場合も同様である。
【０００５】
本発明は、上記従来の問題を解決するものであって、内部の貯蔵物をそのままの状態にして漏水個所周辺に補修材料を確実に充填することができるコンクリート底版の漏水補修工法を提供することを目的とする。
【０００６】
【課題を解決するための手段】
そのために本発明の請求項１記載のコンクリート底版の漏水補修工法は、側壁８及びコンクリート底版１からなり内部に貯蔵物２、１５が貯蔵されたコンクリート構造物１１において、前記コンクリート底版１の下部に配設されたドレーン材９と、該ドレーン材の下部に敷設された不織布７と、前記ドレーン材に連通する揚水兼注入管１０とを備え、コンクリート底版１の漏水個所３に前記揚水兼注入管１０から補修材料５を前記ドレーン材９内部に注入、充填することを特徴とし、
請求項２記載の発明は、請求項１において、上記コンクリート構造物１１内部を仕切壁１２により複数に区画し、各区画１３毎に上記揚水兼注入管１０を設けたことを特徴とし、
請求項３記載の発明は、側壁８及びコンクリート底版１からなり内部に貯蔵物２、１５が貯蔵されたコンクリート構造物１１において、前記コンクリート底版１の下部に不織布を挟んで積層された上部ドレーン材９ａおよび下部ドレーン材９ｂと、前記上部ドレーン材９ａに連通するように設けられた揚水兼注入管１０と、前記下部ドレーン材９ｂに連通するように設けられた揚水管１６とを備え、コンクリート底版１の漏水個所に前記揚水兼注入管１０から補修材料５を前記上部ドレーン材９ａ内部に注入、充填し、前記下部ドレーン材９ｂの水を揚水管１６により揚水することにより遮水効果を確認することを特徴とし、
請求項４記載の発明は、請求項３において、上記コンクリート構造物１１内部を仕切壁１２により複数に区画し、各区画１３毎に上記揚水兼注入管１０および揚水管１６を設けたことを特徴とする。なお、上記構成に付加した番号は、本発明の理解を容易にするために図面と対比させるもので、これにより本発明が何ら限定されるものではない。
【０００７】
【発明の実施の形態】
以下、本発明の実施の形態を図面を参照しつつ説明する。図１及び図２は、本発明のコンクリート底版の漏水補修工法の１実施形態を示し、図１は断面図、図２は図１の変形例を示す模式図である。本実施形態は、廃棄物処分場、汚染土壌処分場等のコンクリート構造物に適用される。
【０００８】
図１において、コンクリート構造物１１は、側壁８及びコンクリート底版１から構成され、内部に埋立ゴミ２が貯蔵されている。地盤６上には不織布７が敷設され、不織布７上に間隙率の大きいドレーン材９が積層され、ドレーン材９上にコンクリート底版１が打設され、側壁８にはドレーン材９に連通する揚水兼注入管１０が配設されている。不織布７は、地盤６の細粒分がドレーン材６の間隙に入って目詰まりさせないために用いている。ドレーン材９は、粒径の大きい均一な粒状体、玉砂利等の高強度の有孔間隙材である。
【０００９】
揚水兼注入管１０から揚水し水の塩分、ＰＨ値等を検査することによりコンクリート底版１の漏水個所３の有無を検知する。漏水個所３を検知した場合には、揚水兼注入管１０から粒子の細かいセメント、水より比重が大きく充填性能の高いゴムアスファルト、薬液のうち少なくとも１つからなる補修材料５をドレーン材９内部に注入、充填し、コンクリート底版１の漏水個所３の周辺を止水、補修するようする。なお、この補修の際、不織布７は、補修材料５が下部の地盤６内に拡散するのを防止する機能を果たしている。
【００１０】
図２は、本発明の変形例を説明するための模式図である。本例は、コンクリート構造物１１の内部を仕切壁１２で区画し、各区画１３毎に揚水兼注入管１０を設けている。これにより、各区画１３毎に揚水兼注入管１０による水質検査が可能となり、漏水個所があった区画のみに補修材料５を注入すればよいので、漏水個所の検出と補修を適確に低コストで行うことができる。
【００１１】
図４及び図５は、本発明のコンクリート底版の漏水補修工法の他の実施形態を示し、図４は断面図、図５は図４の変形例を示す模式図である。本実施形態は、各種液体の地下貯蔵タンク等のコンクリート構造物に適用される。なお、図１の実施形態と重複する構成及び作用については説明を省略する。
【００１２】
図４において、コンクリート構造物１１は、側壁８及びコンクリート底版１から構成され、内部に液体１５が貯蔵されている。本実施形態においては、コンクリート底版１と地盤６の間に、不織布７を挟んで上部ドレーン材９ａと下部ドレーン材９ｂを積層し、上部ドレーン材９ａに連通するように揚水兼注入管１０を側壁８に沿って立設し、また、下部ドレーン材９ｂに連通するように揚水管１６を側壁８に沿って立設している。
【００１３】
揚水兼注入管１０又は揚水管１６から揚水し水の塩分、ＰＨ値等を検査することによりコンクリート底版１の漏水個所の有無を検知する。漏水個所を検知した場合には、浸出水揚水管１０から粒子の細かいセメント、水より比重が大きく充填性能の高いゴムアスファルト、薬液のうち少なくとも１つからなる補修材料を上部ドレーン材９ａ内部に注入、充填し、コンクリート底版１の漏水個所の周辺を止水、補修するようする。なお、この補修の際、不織布７は、補修材料が下部ドレーン材９ｂ及び地盤６内に拡散するのを防止する機能を果たしている。下部ドレーン材９ｂは、補修後、揚水管１６から下部ドレーン材９ｂの水を揚水し、水質検査或は水量検知により遮水効果の確認をするために設けられている。
【００１４】
図４は、本発明の変形例を説明するための模式図である。本例は、コンクリート構造物１１の内部を仕切壁１２で区画し、各区画１３毎に浸出水揚水管１０及び揚水管１６を設けている。これにより、各区画１３毎に浸出水揚水管１０及び揚水管１６による水質検査が可能となり、漏水個所があった区画のみに補修材料を注入すればよいので、漏水個所の検出と補修を適確に低コストで行うことができるとともに、遮水効果の確認が可能となる。
【００１５】
以上、本発明の実施の形態について説明したが、本発明はこれに限定されるものではなく種々の変更が可能である。例えば、図１の実施形態を各種液体の地下貯蔵タンク等に適用してもよいし、図４の実施形態を廃棄物処分場、汚染土壌処分場等に適用してもよい。
【００１６】
【発明の効果】
以上の説明から明らかなように請求項１記載の発明によれば、内部の貯蔵物をそのままの状態にして漏水個所周辺に補修材料を確実に充填することができる。また、請求項３記載の発明によれば、補修した漏水個所の遮水効果の確認をも行うことができる。また、請求項２、４記載の発明によれば、漏水個所の検出と補修を適確に低コストで行うことができる。
【図面の簡単な説明】
【図１】本発明のコンクリート底版の漏水補修工法の１実施形態を示す断面図である。
【図２】図１の変形例を説明するための模式図である。
【図３】従来のコンクリート底版の漏水補修工法を示す断面図である。
【図４】本発明のコンクリート底版の漏水補修工法の他の実施形態を示す断面図である。
【図５】図４の変形例を説明するための模式図である。
【符号の説明】
１…コンクリート底版
２、１５…貯蔵物
３…漏水個所
５…補修材料
７…不織布
８…側壁
９…ドレーン材、９ａ…上部ドレーン材、９ｂ…下部ドレーン材
１０…揚水兼注入管
１１…コンクリート構造物
１２…仕切壁
１３…区画
１６…揚水管
【図１】
0003640200.tif 000002
【図２】
0003640200.tif 000003
【図３】
0003640200.tif 000004
【図４】
0003640200.tif 000005
【図５】
0003640200.tif 000006